(57)【特許請求の範囲】
【請求項１】
生ゴミを収納する収納容器と、前記生ゴミを加熱する加熱手段と、生ゴミを撹拌・粉砕する撹拌部と、前記収納容器に設けられ前記撹拌部とともに生ゴミを粉砕し折り曲げ部を有する固定刃を備え、前記撹拌部の一部が、前記固定刃の折り曲げ部の少なくとも一部とある一定の空間距離ａを設けて対向する位置を回転する厨芥処理機。
【請求項２】
撹拌部は固定刃の折り曲げ部と収納容器の間を回転する折り曲げ部を有し、前記撹拌部の折り曲げ部の先端と前記固定刃とは高さ方向にある一定の空間距離ｂが設けられているとともに、前記ｂはａより小さい請求項１記載の厨芥処理機。
【請求項３】
撹拌部の折り曲げ部と固定刃の折り曲げ部は板状の金属材料から形成され、前記固定刃の折り曲げ部の厚みｔ１、前記撹拌部の折り曲げ部の厚みｔ２とした場合、ｔ１はｔ２より小さい請求項２記載の厨芥処理機。
【発明の詳細な説明】
【０００１】
【発明の属する技術分野】
本発明は台所で発生する生ゴミを処理する生ゴミ処理機に関するものである。
【０００２】
【従来の技術】
従来の乾燥方式の生ゴミ処理機について図３を用いて説明する。生ゴミの収納容器１内を加熱するヒータである加熱手段２と、送風ファン３と、撹拌部４と、生ゴミ収納容器１の蓋５とを配備し、生ゴミの収納容器１より蒸発される蒸気から臭気を除去するための脱臭装置６と、脱臭装置６の排気側に吸引ファン７を設けてある。脱臭装置６には、通過する空気の臭気を酸化反応で脱臭するための白金等の化学物質が担持してある触媒本体９を加熱する触媒ヒータ１０が配備されている。また、収納容器１は一定量の生ゴミを処理させるため容積が一定のもので形成されている。
【０００３】
上記構成において、一定量の投入された生ゴミの収納容器１内の生ゴミは、加熱手段２と送風ファン３によって加熱される。生ゴミより発生した蒸気は、脱臭装置６にいたり、脱臭装置６内にて化学反応により臭気を除去された後、吸引ファン７により排出される。同時に生ゴミは、撹拌部４により、撹拌・粉砕されながら乾燥され、乾燥終了後は、減量・細分化される。吸引ファン７より排出される排気は、脱臭装置６内で化学反応で脱臭される際、触媒ヒータ１０に加熱されるため高温になる。そのままでは高温の空気を排出することになるため、冷却ファン１１によって本体前方より吸引した外気と混合させ、冷却した後、排気口１３より排出する構成をとっている。なお生ゴミの収納容器１は乾燥用容器１２内に配置させている。
【０００４】
【発明が解決しようとする課題】
ここで、投入される生ゴミを処理するに際して、収納容器１内に設けた撹拌部４の回転により、固定刃８との間によって生ゴミは細かく粉砕されて乾燥処理されるが生ゴミの種類、量などの条件によって一定の乾燥処理が難しく、乾燥処理後の粉砕度合いにバラツキがあるという問題点を有していた。
【０００５】
本発明は上記課題を解決するもので、生ゴミの種類、量などの条件によっても一定の乾燥処理が行え、乾燥処理後の粉砕度合いにバラツキのない使用性の高い厨芥処理機を実現することを目的としている。
【０００６】
【課題を解決するための手段】
上記の目的を達成する本発明は、生ゴミを収納する収納容器と、前記生ゴミを加熱する加熱手段と、生ゴミを撹拌・粉砕する撹拌部と、前記収納容器に設けられ前記撹拌部とともに生ゴミを粉砕し折り曲げ部を有する固定刃を備え、前記撹拌部の一部が、前記固定刃の折り曲げ部の少なくとも一部とある一定の空間距離ａを設けて対向する位置を回転する厨芥処理機で、ある一定の空間距離ａを設けて交錯させて生ゴミを撹拌することによって粉砕性能が向上し、乾燥処理後の乾燥ゴミ活用による土壌の堆肥化促進をも可能な簡便なる生ごみ処理を行うことができ、使い勝手のよい厨芥処理機を提供できる。
【０００７】
【発明の実施の形態】
本発明の請求項１記載の発明は、生ゴミを収納する収納容器と、前記生ゴミを加熱する加熱手段と、生ゴミを撹拌・粉砕する撹拌部と、前記収納容器に設けられ前記撹拌部とともに生ゴミを粉砕し折り曲げ部を有する固定刃を備え、前記撹拌部の一部が、前記固定刃の折り曲げ部の少なくとも一部とある一定の空間距離ａを設けて対向する位置を回転する厨芥処理機で、ある一定の空間距離ａを設けて交錯させて生ゴミを撹拌することによって粉砕性能が向上し、乾燥処理後の乾燥ゴミ活用による土壌の堆肥化促進をも可能な簡便なる生ごみ処理を行うことができ、使い勝手のよい厨芥処理機を提供できる。
【０００８】
本発明の請求項２記載の発明は、撹拌部は固定刃の折り曲げ部と収納容器の間を回転する折り曲げ部を有し、前記撹拌部の折り曲げ部の先端と前記固定刃とは高さ方向にある一定の空間距離ｂが設けられているとともに、前記ｂはａより小さいもので、生ゴミの大小、多量、少量にかかわらず、より細かく粉砕することが可能になって粉砕性能も向上し、堆肥化促進作用をも得ることが可能になる厨芥処理機を提供することができる。
【０００９】
本発明の請求項３記載の発明は、撹拌部の折り曲げ部と固定刃の折り曲げ部は板状の金属材料から形成され、前記固定刃の折り曲げ部の厚みｔ１、前記撹拌部の折り曲げ部の厚みｔ２とした場合、ｔ１はｔ２より小さいもので、万一生ゴミが噛み込んだ場合においても、固定刃の変形によって撹拌部とのロック条件を回避することができる厨芥処理機を提供するものである。
【００１０】
【実施例】
（実施例１）
以下、本発明の第１の実施例について添付図面をもとに説明する。なお、従来例と同一部分のついては同一番号を附し説明を省略する。
【００１１】
図１、２において、３０は生ゴミを収納する収納容器で、３２は収納容器１を収納する乾燥庫である。生ゴミ収納容器１内には、回転し生ゴミを撹拌する撹拌部３３が設けられている。３４は、収納容器１にハトメ３６などで固着させて取り付けられ、折り曲げ部である略Ｌ字部を有する固定刃である。撹拌部３３も折り曲げ部である略Ｌ字部を有し、前記固定刃３４の折り曲げ部と前記収納容器１との間を、前記固定刃３４の折り曲げ部と対向し、交差しながら回転し、センター軸３５に連結されている。センター軸３５は、回転モータ４５で駆動される。５は蓋で、蓋５と収納容器１との間のタイトは、蓋５側に取り付けたパッキン３６を収納容器１に圧接することにより維持する。蓋５の下部には、乾燥ヒータ２と送風ファン３からなる加熱手段を配備してあり、複数個の開口４８を設けた保護カバー４９で覆ってある。２１は蓋５の内側に設けた排出口、２２は排出口２１につながる上パイプで、連結パッキン２４を介して脱臭装置６につながる下パイプ２３に圧接される。５０は乾燥モータである。脱臭装置６の排気側には、吸引ファン７と吸引モータ２８からなる吸引手段を有しており、吸引した脱臭装置６の排気は、本体排気口１３より外部へ排出される。脱臭装置６は、臭いを化学分解する部材をコーティングした触媒本体９と、化学反応を促進するために触媒本体９を加熱する触媒ヒータ１０を配備し、加熱された生ゴミから発生した臭気を含む水蒸気は、脱臭装置６にて臭いを除去された後、外部に排出される。
【００１２】
吸引モータ２８には、冷却ファン１１が取り付けてあり、冷却ファン１１の前方低部に当たる本体の底板５１には、冷却用の空気取り入れ口５２が形成してある。また、本体排気口１３は吸引ファン７の下方に開口しており、冷却ファン１１の送風をも本体外部に排出する。
【００１３】
収納容器１内の撹拌、粉砕手段である撹拌部３３の折り曲げ部と固定刃３４の折り曲げ部は、対向して横方向にある一定の空間距離ａを設けて互いに交錯しながら生ゴミを撹拌し、また、撹拌部３３の折り曲げ部の上端部と固定刃３４との間に、上下方向にある一定の空間ｂを形成し、この空間ｂは空間ａに対し、空間ｂ＜空間ａとなるように形成されている。さらに、撹拌部３３と固定刃３４は、板状の金属材料で折り曲げ形状で形成され、固定刃３４の折り曲げ部の厚みをｔ１とし、撹拌部３３の折り曲げ部の厚みｔ２とした場合、ｔ１＜ｔ２の厚みで形成されている。
【００１４】
上記構成において乾燥ヒータ２で加熱された空気が送風ファン３によって開口４８を経て生ゴミ収納容器１内に送り出され、生ゴミを加熱する。加熱されたゴミより発生した蒸気は、吸引ファン７によって吸引されることにより、蓋５の内側に設けた排出口２１から排出され、排出口２１につながる上パイプ２２を通り、上パイプ２２と連結パッキン２４を介して脱臭装置６につながる下パイプ２３を通過し、脱臭装置６に至る。そして脱臭装置６内にて化学反応により臭気を除去された後、冷却ファン１１によって室温程度の温度まで冷却されて本体排気口１３より外部に排出される。同時に生ゴミは、固定刃３４の折り曲げ部と撹拌部３３の折り曲げ部が交差しながら回転することで撹拌・粉砕されながら乾燥処理され、乾燥処理終了後は、減量・細分化される。収納容器１内の撹拌、粉砕手段である撹拌部３３の折り曲げ部と固定刃３４の折り曲げ部は、対向して横方向にある一定の空間距離ａを設けて互いに交錯しながら生ゴミを撹拌し、また、撹拌部３３の折り曲げ部の上端部と固定刃３４との間に、上下方向にある一定の空間ｂを形成し、この空間ｂは空間ａに対し、空間ｂ＜空間ａとなるように形成されているため、生ゴミが撹拌部３３の折り曲げ部と固定刃３４の折り曲げ部の間からずれてしまうことなく、また、撹拌部３３も固定刃３４も折り曲げ部を有していることで強度が高いため、生ゴミの種類、量などの条件によっても一定の乾燥処理が行え、乾燥処理後の粉砕度合いにバラツキのない。さらに、撹拌部３３と固定刃３４は、板状の金属材料で折り曲げ形状で形成され、固定刃３４の折り曲げ部の厚みをｔ１とし、撹拌部３３の折り曲げ部の厚みｔ２とした場合、ｔ１＜ｔ２の厚みで形成されているため、万一生ゴミが噛み込んだ場合においても、固定刃３４の変位（変形）によってこれを回避し、撹拌部３３のロックによる不具合を皆無にすることが可能となる厨芥処理機を提供するものである。
【００１５】
【発明の効果】
本発明によれば、生ゴミの種類、量などの条件によっても一定の乾燥処理が行え、乾燥処理後の粉砕度合いにバラツキのない使用性の高い厨芥処理機を実現できる。
【図面の簡単な説明】
【図１】本発明の一実施例における生ゴミ処理機の収納容器の断面図
【図２】同要部断面図
【図３】従来例の生ゴミ処理機の断面図
【符号の説明】
１  収納容器
２  乾燥ヒータ
３  送風ファン
３３  撹拌部
３４  固定刃
【図１】
0003985528.tif 000002
【図２】
0003985528.tif 000003
【図３】
0003985528.tif 000004